(57)【要約】【課題】冬季などの低温環境でのプレー時においても内層であるフェイスベースが破損し難いグラウンドゴルフまたはパークゴルフに用いるゴルフクラブを提供する。【解決手段】ゴルフクラブ１００は、ヘッド１０１を備えている。ヘッド１０１は、ヘッド１０１上にフェイスベース１１０を介してフェイス１０２を備えている。フェイスベース１１０は、フェイス１２０よりも硬質でかつ温度低下に伴って硬度が高くなる樹脂材で構成されている。フェイス１２０は、ボールを打った際に弾性変形する弾力性を有するとともに、０℃〜３５℃の温度範囲内での温度低下に伴う損失係数ｔａｎδの低下量がフェイスベース１１０の損失係数ｔａｎδにおける０℃〜３５℃の温度範囲内での温度低下に伴う低下量よりも少ない特性を有したエラストマ材を板状に形成して構成されている。【選択図】  図４
2018202036.tif 000002
【特許請求の範囲】
【請求項１】
ボールを打つヘッドに棒状に延びるシャフトが設けられたグラウンドゴルフまたはパークゴルフに用いられるゴルフクラブであって、
前記ヘッドは、
前記シャフトが取り付けられるヘッド本体と、
前記ヘッド本体に支持されて前記ボールを打った際に弾性変形する打面を構成するフェイスと、
前記フェイスより硬質な材料で構成されて前記ヘッド本体と前記フェイスとの間に設けられたフェイスベースとを備え、
前記フェイスは、
０℃〜３５℃の温度範囲内での温度低下に伴う損失係数ｔａｎδの低下量が前記フェイスベースの前記損失係数ｔａｎδにおける前記０℃〜３５℃の温度範囲内での温度低下に伴う低下量よりも少ないことを特徴とするゴルフクラブ。
【請求項２】
請求項１に記載したゴルフクラブにおいて、
前記フェイスベースは、
前記損失係数ｔａｎδが０．０５以上であることを特徴とするゴルフクラブ。
【請求項３】
請求項１または請求項２に記載したゴルフクラブにおいて、
前記フェイスの前記損失係数ｔａｎδと前記フェイスベースの前記損失係数ｔａｎδとは、温度が低下するに従って差が大きくなることを特徴とするゴルフクラブ。
【請求項４】
請求項１ないし請求項３のうちのいずれか１つに記載したゴルフクラブにおいて、
前記フェイスは、
０℃〜３５℃の温度範囲で前記損失係数ｔａｎδが極大値を有することを特徴とするゴルフクラブ。
【発明の詳細な説明】
【技術分野】
【０００１】
本発明は、グラウンドゴルフまたはパークゴルフに用いられるゴルフクラブに関する。
【背景技術】
【０００２】
従来から、グラウンドゴルフまたはパークゴルフに用いるゴルフクラブが各種提案されている。例えば、下記特許文献１には、ボールを打つヘッドを構成してボールに直接接触するフェース部材が内層および外層の２層で構成されたゴルフクラブが開示されている。この場合、フェース部材は、ボールが直接接触する外層を弾性変形し易い粘弾性体で構成するとともに、この外層の裏側にこの外層よりも硬質な樹脂材からなる内層を設けることでヘッド本体が損傷することを防止している。
【先行技術文献】
【特許文献】
【０００３】
【特許文献１】特開２００６−２３０６８５号公報
【０００４】
しかしながら、このような上記特許文献１に記載されたゴルフクラブにおいては、内層および外層をそれぞれ構成する樹脂材の温度依存性が金属材料などに比べて一般的に高く低温になるほど硬くて脆い性質に変化するため、冬季などの低温環境でのプレー時においてより硬質な樹脂材で構成された内層がボールを打った際の衝撃によって破損し易いという問題がある。
【０００５】
本発明は上記問題に対処するためなされたもので、その目的は、冬季などの低温環境でのプレー時においても内層であるフェイスベースが破損し難いグラウンドゴルフまたはパークゴルフに用いるゴルフクラブを提供することにある。
【発明の概要】
【０００６】
上記目的を達成するため、本発明の特徴は、ボールを打つヘッドに棒状に延びるシャフトが設けられたグラウンドゴルフまたはパークゴルフに用いられるゴルフクラブであって、ヘッドは、シャフトが取り付けられるヘッド本体と、ヘッド本体に支持されてボールを打った際に弾性変形する打面を構成するフェイスと、フェイスより硬質な材料で構成されてヘッド本体とフェイスとの間に設けられたフェイスベースとを備え、フェイスは、０℃〜３５℃の温度範囲内での温度低下に伴う損失係数ｔａｎδの低下量がフェイスベースの損失係数ｔａｎδにおける前記０℃〜３５℃の温度範囲内での温度低下に伴う低下量よりも少ないことにある。
【０００７】
このように構成した本発明の特徴によれば、ゴルフクラブは、温度低下に伴うフェイスの損失係数ｔａｎδの低下量がフェイスベースの損失係数ｔａｎδの低下量よりも低いため、低温時にボールを打撃した際におけるフェイスによる衝撃の吸収率の低下を抑えて低温によって硬化したフェイスベースに伝達される衝撃を緩和してフェイスベースの損傷を防止することができる。この場合、フェイスおよびフェイスベースの各損失係数ｔａｎδの低下量は、０℃〜３５℃の温度範囲内における温度低下に伴う各損失係数ｔａｎδの低下率と置き換えることもできる。また、本発明に係るゴルフクラブによれば、夏季などの高温環境でのプレー時と冬季などの低温環境でのプレー時とでボールを打撃した際のボールのコントロール性および飛距離の変化も抑えることができる。また、ゴルフクラブは、低温時にフェイスベースが硬質に変化してボールの打撃による反発力が大きくなった場合であってもフェイスによる衝撃の吸収によって使用者に伝達される衝撃を緩和することもできる。
【０００８】
ここで、損失係数ｔａｎδとは、貯蔵弾性率と損失弾性率との比である。また、貯蔵弾性率とは、動的挙動中における粘弾性体の剛性を示すものである。また、損失弾性率とは、動的挙動中における粘弾性の消失エネルギを示すものである。
【０００９】
また、本発明の他の特徴は、前記ゴルフクラブにおいて、フェイスベースは、損失係数ｔａｎδが０．０５以上であることにある。
【００１０】
このように構成した本発明の他の特徴によれば、ゴルフクラブは、フェイスベースの損失係数ｔａｎδが０．０５以上に構成されてフェイスベースが振動をより吸収し易く構成されているため、ボールを打撃した際における衝撃をフェイスベースがより効果的に吸収して反発力を抑えることでボールのコントロール性を向上させることができ、年少者、初心者または高齢者によるプレーが行ない易くすることができる。一方、フェイスベースの損失係数ｔａｎδを０．０５未満で構成すると、ボールのコントロール性が低下するがボールの反発性が向上するため中上級者向きと言える。また、本発明に係るゴルフクラブにおいては、ボールを打撃した際の衝撃の吸収率を向上させることができるため、冬季などの低温時においてもフェイスベースの損傷をより効果的に抑制することができる。
【００１１】
また、本発明の他の特徴は、ゴルフクラブにおいて、フェイスの損失係数ｔａｎδとフェイスベースの損失係数ｔａｎδとは、温度が低下するに従って差が大きくなることにある。
【００１２】
このように構成した本発明の他の特徴によれば、ゴルフクラブは、フェイスとフェイスベースとが温度の低下に伴って損失係数ｔａｎδの差が大きくなるように構成されているため、より低温（例えば、１０℃以下）な環境においてより効果的にフェイスベースの損傷を防止することができる。
【００１３】
また、本発明の他の特徴は、前記ゴルフクラブにおいて、フェイスは、０℃〜３５℃の温度範囲で損失係数ｔａｎδが極大値を有することにある。
【００１４】
このように構成した本発明の他の特徴によれば、ゴルフクラブは、フェイスの損失係数ｔａｎδが０℃〜３５℃の温度範囲で極大値を有しているため、この極大値付近におけるボールの打撃時における衝撃の吸収を最大化できるとともに、この極大値付近における温度変化に対する損失係数ｔａｎδの増減量が小さいため、ボールを打撃した際のボールのコントロール性および飛距離の変化を抑えることができる。なお、損失係数ｔａｎδの極大値は、０℃〜３５℃の温度範囲で極大値が存在するか否かであり、この温度範囲以外での極大値の有無とは無関係である。
【図面の簡単な説明】
【００１５】
【図１】本発明の一実施形態に係るゴルフクラブの全体構成を概略的に示した全体斜視図である。
【図２】図１に示すゴルフクラブにおけるヘッドの全体構成を概略的に示した要部拡大斜視図である。
【図３】図２に示したヘッドの内部構成を概略的に示した要部断面図である。
【図４】図２に示したフェイスベースおよびフェイスの０℃〜３５℃の温度範囲における各損失係数ｔａｎδを示した特性グラフである。
【図５】図２に示したヘッドにおけるフェイスベースの全体構成を概略的に示した斜視図である。
【図６】図２に示したヘッドにおけるフェイスの全体構成を概略的に示した斜視図である。
【発明を実施するための形態】
【００１６】
以下、本発明に係るゴルフクラブの一実施形態について図面を参照しながら説明する。図１は、本発明に係るゴルフクラブ１００の全体構成の概略を示した斜視図である。また、図２は、図１に示すゴルフクラブ１００の要部であるヘッド１０１を別の方向から見た部分拡大斜視図である。また、図３は、図２に示すヘッド１０１の内部構造の概略を示す断面図である。なお、本明細書において参照する各図は、本発明の理解を容易にするために一部の構成要素を誇張して表わすなど模式的に表している。このため、各構成要素間の寸法や比率などは異なっていることがある。このゴルフクラブ１００は、グラウンドゴルフまたはパークゴルフにおいてボールを打つための棒状の用具である。
【００１７】
（ゴルフクラブ１００の構成）
ゴルフクラブ１００は、主として、ヘッド１０１およびシャフト１０６をそれぞれ備えて構成されている。ヘッド１０１は、ゴルフクラブ１００においてグラウンドゴルフまたはパークゴルフで用いる樹脂製のボール（図示せず）を打つための部分であり、主として、ヘッド本体１０２、フェイスベース１１０およびフェイス１２０をそれぞれ備えて構成されている。
【００１８】
ヘッド本体１０２は、フェイスベース１１０およびフェイス１２０をそれぞれ支持する部品であり、剛体（例えば、木材）をブロック状に形成して構成されている。このヘッド本体１０２における外表面の一部には、鉛直方向に平滑な平面状に延びた状態で取付前面１０３が形成されており、この取付前面１０３にフェイスベース１１０およびフェイス１２０がそれぞれ取り付けられている。この場合、取付前面１０３には、フェイス１２０における２つの本体嵌合部１２４に対応する位置に各本体嵌合部１２４が嵌合する嵌合孔１０４がそれぞれ形成されている。
【００１９】
また、取付前面１０３の外周部は、フェイスベース１１０の外周部に対応する形状に形成されており、取付前面１０３の外周部とフェイスベース１１０の外周部とは面一に形成されている。また、このヘッド本体１０２には、下面にソール１０５が設けられているとともに上面にシャフト１０６が設けられている。
【００２０】
ソール１０５は、ヘッド本体１０２の下面を保護するための部品であり、アルミニウム材をヘッド本体１０２の底面に沿って湾曲する形状に形成して構成されている。この場合、ソール１０５は、ヘッド本体１０２の底面とともにフェイスベース１１０の底面も覆う大きさに形成されている。このソール１０５は、図示しないビスによってヘッド本体１０２の底面に取り付けられている。なお、ソール１０５は、ヘッド本体１０２の底面のみを覆いフェイスベース１１０の底面は覆わない形状に形成することもできる。
【００２１】
シャフト１０６は、ヘッド１０１をスイング可能に支持する部品であり、木材またはカーボン材を棒状に形成して構成されている。このシャフト１０６は、一方の端部（図示下端部）にヘッド本体１０２が取り付けられているとともに、他方の端部（図示上側端部）にグリップ１０７が取り付けられている。グリップ１０７は、ゴルフをプレーする使用者が手で握る部分であり、ゴム材を筒状に形成して構成されている。このグリップ１０７は、シャフト１０６における前記他方の端部に挿し込まれている。
【００２２】
フェイスベース１１０は、フェイス１２０の裏面１２２および外周部１２３をそれぞれ覆う部品であり、フェイス１２０よりも硬質な材料を板状に形成して構成されている。この場合、フェイスベース１１０を構成する材料としては、フェイス１２０よりも硬質な樹脂材、金属材または木材がある。この場合、樹脂材には、硬質な樹脂材のほか、フェイス１２０よりも硬質なエラストマ材を含むものである。より具体的には、樹脂材の硬度は、デュロメータ硬度（温度２３℃±２℃、湿度５０％±５％）でＨＤＤ６０〜１００が好ましい。本実施形態においては、フェイスベース１１０は、熱可塑性ポリウレタン樹脂で構成されている。
【００２３】
また、フェイスベース１１０は、少なくとも０℃〜３５℃の温度範囲において温度低下に伴って硬度が上昇して硬質なる特性を有している。ここで、硬度とは、フェイスベース１００の材料の表面または表面近傍の機械的性質の一つであり、外力による物体の変形し難さであり、「硬さ」ともいう。
【００２４】
すなわち、また、フェイスベース１１０は、図４に示すように、０℃〜３５℃の温度範囲において損失係数ｔａｎδが０．０５以上であって温度低下とともに損失係数（「損失正接」ともいう）ｔａｎδが低下する特性を有している。ここで、０℃〜３５℃の温度範囲を規定する意義は、フェイスベース１１０の温度範囲であるが、グラウンドゴルフやパークゴルフをプレーする気温環境に対応している。したがって、１０℃未満や３０℃以上でのプレーを想定しなければ、損失係数ｔａｎδを規定する温度範囲は、１０℃以上かつ２５℃以下であってもよい。
【００２５】
また、損失係数ｔａｎδとは、エラストマ材などの粘弾性体における貯蔵弾性率と損失弾性率との比であり、この値が大きいほど応答に遅れが生じるとともに振動抑制効果が高いことを意味する。また、貯蔵弾性率とは、動的挙動中における粘弾性体の剛性を示すものである。また、損失弾性率とは、動的挙動中における粘弾性の消失エネルギを示すものである。なお、図４においては、フェイスベース１１０およびフェイス１２０の各損失係数ｔａｎδを−１２．５℃〜３７．５℃の範囲について実線で示しそれらの各外側を破線で示している。
【００２６】
このフェイスベース１１０は、図５に示すように、主として、カバー部１１１とバックベース部１１２とで構成されている。カバー部１１１は、フェイス１２０の外周部１２３を覆う部分であり、フェイス１２０の外周部１２３を囲む環状に形成されている。この場合、カバー部１１１は、内周部がフェイス１２０の外周部１２３に対応する形状に形成されるとともに、外周部が内周部の形成方向に沿って直線状または曲線状に延びて形成されている。
【００２７】
バックベース部１１２は、環状のカバー部１１１における内側部分に板状に形成されてカバー部１１１を内側方向にも一体化して補強しつつフェイス１２０が取り付けられる部分であり、カバー部１１１と一体的に形成されている。これにより、フェイスベース１１０は、カバー部１１１とバックベース部１１２とで囲まれた凹状の領域がフェイス１２０を保持する領域として形成される。
【００２８】
このバックベース部１１２には、前記フェイス１２０における本体嵌合部１２４に対応する位置に貫通孔１１３がそれぞれ形成されている。また、バックベース部１１２の厚さは、フェイス１２０の厚さと同じ厚さに形成されている。なお、バックベース部１１２の厚さは、フェイス１２０の厚さ以下または同厚さ以上であってもよいことは当然である。
【００２９】
フェイス１２０は、ボールと直接接触して打つ部品であり、エラストマ材を板状に形成して構成されている。この場合、フェイス１２０を構成するエラストマ材は、ボールを打った際に弾性変形する弾力性を有するゴム材または樹脂材であり、より具体的には、熱硬化性エラストマ材（例えば、加硫ゴム、ウレタンゴム、シリコーンゴム、フッ素ゴムなど）、熱可塑性エラストマ材（例えば、スチレン系、オレフィン系、塩ビ系、ウレタン系またはアミド系の各樹脂など）がある。本実施形態においては、フェイス１２０は、熱可塑性ポリウレタン樹脂で構成されている。また、フェイス１２０の硬度は、デュロメータ硬度（温度２３℃±２℃、湿度５０％±５％）でＨＤＡ７０〜１００が好ましい。
【００３０】
また、フェイス１２０は、図４に示すように、０℃〜３５℃の温度範囲において損失係数ｔａｎδが０．０５以上かつフェイスベース１１０における損失係数ｔａｎδよりも大きな値であって温度低下に伴って一旦上昇した後低下する特性を有している。この場合、フェイス１２０における損失係数ｔａｎδは、０℃〜３５℃の温度範囲内での温度低下に伴う低下量がフェイスベース１１０の損失係数ｔａｎδにおける０℃〜３５℃の温度範囲内での温度低下に伴う低下量よりも少ない特性を有している。
【００３１】
本実施形態においては、フェイス１２０の損失係数ｔａｎδは、約３５℃で約０．１７であり、約２０℃で０．２であり、０℃で約０．１７であるため、０℃〜３５℃の温度範囲内での温度低下に伴う損失係数ｔａｎδの低下量は約０．０３である。一方、フェイスベース１１０の損失係数ｔａｎδは、約３５℃で約０．１５であり、約２０℃で０．０９であり、０℃で約０．０６であるため、０℃〜３５℃の温度範囲内での温度低下に伴う損失係数ｔａｎδの低下量は約０．０９である。
【００３２】
このフェイス１２０は、図６に示すように、ボールを打つ表面１２１が平滑な平面状に形成されているとともに、表面１２１の裏側となる裏面１２２は平滑な平面上における左右方向両端部側に２つの本体嵌合部１２４がそれぞれ形成されている。また、フェイス１２０の外周部１２３は、フェイスベース１１０のカバー部１１１の内周面に対応する形状に形成されてカバー部１１１に覆われている。
【００３３】
本実施形態においては、フェイス１２０は、ボールを打つ際の上下方向の幅である高さがボールの直径（６ｃｍ）以下で、かつ高さ方向に直交する横幅方向がボールの直径（６ｃｍ）以上の長さ（好ましくは、ボールの直径の２倍以上）の横長の板状に形成されている。なお、フェイス１２０の大きさや形状は、ボールを打つことができる大きさおよび形状に形成されていればよく、本実施形態に限定されるものではない。
【００３４】
本体嵌合部１２４は、フェイス１２０をヘッド本体１０２に取り付けるための部分であり、フェイス１２０の裏面１２２から柱状に突出して形成されている。この本体嵌合部１２４は、フェイス１２０の裏面１２２における上下方向中央部でかつ横幅方向両端部側にそれぞれ形成されている。なお、本体嵌合部１２４は、１つまたは３つ以上設けてもよいことは当然である。このフェイス１２０は、前記フェイスベース１１０内に表面１２１が露出した状態で覆われている。
【００３５】
（ゴルフクラブ１００の製造）
ここで、ゴルフクラブ１００の製造工程について簡単に説明しておく。まず、作業者は、第１工程として、フェイスベース１１０を製造する。具体的には、作業者は、射出成形機（図示せず）を用いてフェイスベース１１０を射出成形する。
【００３６】
次に、作業者は、第２工程として、フェイス１２０を製造する。具体的には、作業者は、フェイス１２０を成形する金型（図示せず）内にフェイスベース１１０を配置した状態で射出成形機を用いてフェイス１２０を射出成形する。すなわち、フェイス１２０は、金型内にフェイスベース１１０を配置したインサート成形加工により、フェイスベース１１０に対して表面１２１、裏面１２２および本体嵌合部１２４が一体的に成形される。なお、フェイス１２０は、フェイスベース１１０をインサート成形することなく、フェイス１２０単体で成形した後にフェイスベース１１０に嵌め込んで製作することもできる。
【００３７】
次に、作業者は、第３工程として、ヘッド本体１０２を用意する。具体的には、作業者は、木材に対して切削加工を行うことによって外形、取付前面１０３および嵌合孔１０４など必要な形状を成形する。
【００３８】
次に、作業者は、第４工程として、ヘッド本体１０２にフェイス１２０およびフェイスベース１１０をそれぞれ取り付ける。具体的には、作業者は、フェイス１２０が一体的に取り付けられたフェイスベース１１０の裏面に接着剤を塗布してヘッド本体１０２の取付前面１０３に貼り付ける。この場合、フェイス１２０における２つの本体嵌合部１２４は、ヘッド本体１０２の取付前面１０３の嵌合孔１０４にそれぞれ嵌合する。
【００３９】
次に、作業者は、第５工程として、ソール１０５を用意してヘッド本体１０２に取り付ける。具体的には、作業者は、アルミダイカストなどの加工法を用いて別途製作したソール１０５をヘッド本体１０２の下面にビス（図示せず）を用いて取り付ける。
【００４０】
次に、作業者は、第６工程として、フェイスベース１１０の外周面をヘッド本体１０２の側面とともに研削加工を行う。これにより、ヘッド本体１０２の取付前面１０３の外周面とフェイスベース１１０の外周面との間の段差が解消されて両者が面一となる。この場合、フェイスベース１１０がフェイス１２０よりも硬質な材料で構成されているため、研削加工を精度よく行うことができる。なお、この第６工程における研削加工は、前記段差が生じない場合や段差が許容できる場合には行う必要がない。
【００４１】
次に、作業者は、第７工程として、ヘッド本体１０２の外表面に塗装を行う。具体的には、作業者は、ヘッド本体１０２におけるフェイス１２０およびフェイスベース１１０をマスキングした状態でヘッド本体１０２の外表面に吹き付け塗装などにより着色を行う。
【００４２】
次に、作業者は、第８工程として、シャフト１０６を用意してヘッド本体１０２に取り付ける。具体的には、作業者は、木材に対して切削加工および塗装加工を別途製作したシャフト１０６をヘッド本体１０２の上面に挿し込んで取り付ける。次いで、作業者は、別工程で製作したグリップ１０７をシャフト１０６の上端部に挿し込んで取り付ける。なお、グリップ１０７は、ヘッド本体１０２に挿し込まれる前のシャフト１０６に予め取り付けられていてもよいことは当然である。この後、作業者は、外観および使用感を試す検査工程などを経てゴルフクラブ１００を完成させる。
【００４３】
（ゴルフクラブ１００の作動）
次に、このように構成したゴルフクラブ１００の作動について説明する。ゴルフをプレーする使用者は、グリップ１０７を握ってヘッド１０１をスイングすることによりフェイス１２０でボールを打つ。この場合、フェイス１２０およびフェイスベース１１０は、使用される気温や日射などの温度環境に応じた温度における損失係数ｔａｎδでボールを反発させる。
【００４４】
この場合、フェイス１２０およびフェイスベース１１０は、プレーする気温が低くなればなるほど各損失係数ｔａｎδはそれぞれ低くなる。すなわち、フェイス１２０およびフェイスベース１１０は、温度が低くなるほど硬度が高くなるとともにじん性が失われて貯蔵弾性率が増加および／または損失弾性率が低下する。これにより、フェイスベース１１０は、元来、フェイス１２０よりも硬質な材料で構成されているところ、低温度による硬化によってフェイス１２０よりもボールの打撃による衝撃によって損傷し易い性質に変化する。
【００４５】
しかし、フェイス１２０は、０℃〜３５℃の温度範囲内での温度低下に伴う損失係数ｔａｎδの低下量がフェイスベース１１０の損失係数ｔａｎδにおける０℃〜３５℃の温度範囲内での温度低下に伴う低下量よりも少ない特性を有している。すなわち、フェイス１２０は、温度低下に対してフェイスベース１１０よりも弾性が低下し難く構成されているため、ボールの打撃による衝撃の吸収能力の低下が抑制されている。これにより、フェイスベース１１０は、低温時におけるプレー中においてもボールの打撃による衝撃の一部がフェイス１２０に吸収されて損傷することが抑制される。また、ゴルフクラブ１００は、低温時にフェイスベース１１０が硬質に変化してボールの打撃による反発力が大きくなった場合であってもフェイス１２０による衝撃の吸収によって使用者に伝達される衝撃を緩和することができる。
【００４６】
上記作動説明からも理解できるように、上記実施形態によれば、ゴルフクラブ１００は、温度低下に伴うフェイス１２０の損失係数ｔａｎδの低下量がフェイスベース１１０の損失係数ｔａｎδの低下量よりも低いため、低温時にボールを打撃した際におけるフェイス１２０による衝撃の吸収率の低下を抑えて低温によって硬化したフェイスベース１１０に伝達される衝撃を緩和してフェイスベース１１０の損傷を防止することができる。また、本発明に係るゴルフクラブ１００によれば、夏季などの高温環境でのプレー時と冬季などの低温環境でのプレー時とにおけるボールを打撃した際のボールのコントロール性および飛距離に変化を抑えることができる。
【００４７】
さらに、本発明の実施にあたっては、上記実施形態に限定されるものではなく、本発明の目的を逸脱しない限りにおいて種々の変更が可能である。
【００４８】
例えば、上記実施形態においては、フェイス１２０は、温度低下に伴うフェイス１２０の損失係数ｔａｎδの低下量がフェイスベース１１０の損失係数ｔａｎδの低下量よりも低く規定した。しかし、フェイス１２０は、温度低下に伴うフェイス１２０の損失係数ｔａｎδの低下率がフェイスベース１１０の損失係数ｔａｎδの低下率よりも低く規定しても同様の作用効果を期待できる。
【００４９】
また、上記実施形態においては、フェイス１２０は、０℃〜３５℃の温度範囲で、具体的には約２０℃で損失係数ｔａｎδが極大値となるように構成されている。これにより、ゴルフクラブ１００は、この極大値付近におけるボールの打撃時における衝撃の吸収を最大化できるとともに、この極大値付近における温度変化に対する損失係数ｔａｎδの増減量が小さいため、ボールを打撃した際のボールのコントロール性および飛距離に変化を抑えることができる。しかし、フェイス１２０は、０℃〜３５℃の温度範囲で損失係数ｔａｎδが必ずしも極大値を有する必要はなく、温度変化とともに損失係数ｔａｎδが増加または減少のみするように構成されていてもよい。
【００５０】
また、上記実施形態においては、フェイス１２０およびフェイスベース１１０は、それぞれ温度が低下するに従って両者間における損失係数ｔａｎδの差が大きくなるように構成されている。これにより、ゴルフクラブ１００は、より低温（例えば、１０℃以下）な環境においてもボールを打撃した際における衝撃のフェイスベース１１０への伝達を緩和してフェイスベース１１０の損傷を防止することができる。しかし、ゴルフクラブ１００は、フェイス１２０とフェイスベース１１０とが温度が低下するに従って損失係数ｔａｎδの差が小さくなる、または温度低下に対して両者の差が一定に構成されていてもよい。
【００５１】
また、上記実施形態においては、フェイスベース１１０は、損失係数ｔａｎδを０．０５以上で構成した。これにより、ゴルフクラブ１００は、冬季などの低温時においてもフェイス１２０がボールを打撃した際における衝撃を吸収し易くしてフェイスベースの損傷を防止することができる。しかし、フェイスベース１１０は、損失係数ｔａｎδを０．０５未満で構成することもできる。これによれば、ゴルフクラブ１００は、ボールを打撃した際における反発力を向上させることができる。なお、フェイスベース１１０の損失係数ｔａｎδを０．０５以上または０．０５以下で構成した場合においてもフェイス１２０の損失係数ｔａｎδは０．０５以上であることが好ましいが、０．０５未満に構成することを排除するものではない。
【００５２】
また上記実施形態においては、フェイス１２０およびフェイスベース１１０は、損失係数ｔａｎδがそれぞれ図４に示す特性を有する樹脂材で構成した。しかし、フェイスベース１１０は、フェイス１２０よりも硬質な材料でかつ温度低下に伴って硬度が高くなる材料で構成されていればよい。また、フェイス１２０は、０℃〜３５℃の温度範囲内での温度低下に伴う損失係数ｔａｎδの低下量がフェイスベース１１０の損失係数ｔａｎδにおける０℃〜３５℃の温度範囲内での温度低下に伴う低下量よりも少ない材料で構成されていればよい。すなわち、フェイス１２０およびフェイスベース１１０は、損失係数ｔａｎδがそれぞれ図４に示す特性と全く同一の特性を有する材料である必要はない。
【００５３】
また、上記実施形態においては、フェイスベース１１０は、フェイス１２０の外周部１２３を覆うカバー部１１１を備えて構成した。しかし、フェイスベース１１０は、カバー部１１１を省略してバックベース部１１２のみで構成することもできる。
【００５４】
また、上記実施形態においては、フェイス１２０は、ボールを打った際に弾性変形する材料で構成した。しかし、フェイス１２０は、フェイスベース１１０よりも軟質な材料で構成されていればよく、例えば、硬質な樹脂材（例えば、ＨＤＡ１００以上）で構成することができる。
【００５５】
また、上記実施形態においては、フェイス１２０は、正面視において上下方向中央部および横幅方向中央部がそれぞれ凹状に窪んで形成した。しかし、フェイス１２０の形状は特に限定されるものではなく、長方形や正方形などの方形のほか、五角形や六角形などの多角形、または円形や楕円形などの円形などの形状に形成することができる。
【００５６】
また、上記実施形態においては、フェイス１２０は、本体嵌合部１２４を備えて構成した。しかし、フェイス１２０は、本体嵌合部１２４を省略して構成してフェイスベース１１０またはヘッド本体１０２に接着剤を用いて取り付けることもできる。
【符号の説明】
【００５７】
１００…ゴルフクラブ、１０１…ヘッド、１０２…ヘッド本体、１０３…取付前面、１０４…嵌合孔、１０５…ソール、１０６…シャフト、１０７…グリップ、
１１０…フェイスベース、１１１…カバー部、１１２…バックベース部、１１３…貫通孔、
１２０…フェイス、１２１…表面、１２２…裏面、１２３…外周部、１２４…本体嵌合部。
【図１】
2018202036.tif 000003
【図２】
2018202036.tif 000004
【図３】
2018202036.tif 000005
【図４】
2018202036.tif 000006
【図５】
2018202036.tif 000007
【図６】
2018202036.tif 000008
【手続補正書】
【提出日】平成29年9月15日(2017.9.15)
【手続補正１】
【補正対象書類名】特許請求の範囲
【補正対象項目名】請求項１
【補正方法】変更
【補正の内容】
【請求項１】
ボールを打つヘッドに棒状に延びるシャフトが設けられたグラウンドゴルフまたはパークゴルフに用いられるゴルフクラブであって、
前記ヘッドは、
前記シャフトが取り付けられるヘッド本体と、
前記ヘッド本体に支持されて前記ボールを打った際に弾性変形する打面を構成するエラストマ材からなるフェイスと、
前記フェイスより硬質なエラストマ材で構成されて前記ヘッド本体と前記フェイスとの間に設けられたフェイスベースとを備え、
前記フェイスは、
０℃〜３５℃の温度範囲内での温度低下に伴う損失係数ｔａｎδの低下量が前記フェイスベースの前記損失係数ｔａｎδにおける前記０℃〜３５℃の温度範囲内での温度低下に伴う低下量よりも少ないことを特徴とするゴルフクラブ。
【手続補正２】
【補正対象書類名】明細書
【補正対象項目名】０００６
【補正方法】変更
【補正の内容】
【０００６】
上記目的を達成するため、本発明の特徴は、ボールを打つヘッドに棒状に延びるシャフトが設けられたグラウンドゴルフまたはパークゴルフに用いられるゴルフクラブであって、ヘッドは、シャフトが取り付けられるヘッド本体と、ヘッド本体に支持されてボールを打った際に弾性変形する打面を構成するエラストマ材からなるフェイスと、フェイスより硬質なエラストマ材で構成されてヘッド本体とフェイスとの間に設けられたフェイスベースとを備え、フェイスは、０℃〜３５℃の温度範囲内での温度低下に伴う損失係数ｔａｎδの低下量がフェイスベースの損失係数ｔａｎδにおける前記０℃〜３５℃の温度範囲内での温度低下に伴う低下量よりも少ないことにある。